(57)【要約】【課題】ローカルディミング制御の実行中であっても、表示画像の見た目の変化を招くことなく、入力画像データに応じた発光部の発光状態の変化に依存しない光センサの測定値を推定することができる技術を提供する。【解決手段】本発明の画像表示装置は、発光手段と、前記発光手段から発せられた光を変調することで画面に画像を表示する表示手段と、入力画像データに基づいて前記発光手段の発光を制御する制御手段と、前記画面から発せられた光の測定値を取得する取得手段と、前記発光手段の基準の発光状態である基準状態と、前記発光手段の現在の発光状態と、に基づいて、前記取得手段で取得された現在の測定値を補正する第１補正手段と、を有する。【選択図】図１
2015232689.tif 000002
【特許請求の範囲】
【請求項１】
発光手段と、
前記発光手段から発せられた光を変調することで画面に画像を表示する表示手段と、
入力画像データに基づいて前記発光手段の発光を制御する制御手段と、
前記画面から発せられた光の測定値を取得する取得手段と、
前記発光手段の基準の発光状態である基準状態と、前記発光手段の現在の発光状態と、に基づいて、前記取得手段で取得された現在の測定値を補正する第１補正手段と、
を有することを特徴とする画像表示装置。
【請求項２】
前記第１補正手段による補正後の測定値と第１目標値との差が閾値以上である場合に、前記第１補正手段による補正後の測定値が第１目標値と異なることをユーザに通知する通知手段をさらに有する
ことを特徴とする請求項１に記載の画像表示装置。
【請求項３】
前記第１補正手段による補正後の測定値と第１目標値との差が閾値以上である場合に、前記画面の輝度と色の少なくとも一方のキャリブレーションを実行する校正手段をさらに有する
ことを特徴とする請求項１に記載の画像表示装置。
【請求項４】
前記校正手段は、前記第１補正手段による補正後の測定値を用いて前記キャリブレーションを実行する
ことを特徴とする請求項３に記載の画像表示装置。
【請求項５】
前記キャリブレーションでは、前記第１補正手段による補正前の測定値が使用され、
前記制御手段は、前記キャリブレーションの実行時に、前記発光手段の発光状態を前記基準状態に制御する
ことを特徴とする請求項３に記載の画像表示装置。
【請求項６】
前記第１目標値は、前記画面から発せられた光の測定値を目標値に近づけるキャリブレーションの目標値である
ことを特徴とする請求項２〜５のいずれか１項に記載の画像表示装置。
【請求項７】
前記第１補正手段による補正後の測定値を用いて前記画面の輝度と色の少なくとも一方のキャリブレーションを実行する校正手段をさらに有する
ことを特徴とする請求項１に記載の画像表示装置。
【請求項８】
前記発光手段は、個別に発光を制御可能な複数の光源を有し、
前記制御手段は、前記複数の光源のそれぞれに対応する前記画面の領域に表示すべき画像データに基づいて、各光源の発光を制御し、
前記取得手段は、前記画面の一部の領域である測定領域から発せられた光の測定値を取得し、
前記発光手段の発光状態は、前記測定領域における前記発光手段の発光状態である
ことを特徴とする請求項１〜７のいずれか１項に記載の画像表示装置。
【請求項９】
前記基準状態は、全ての画素値が互いに等しい画像データに応じた発光状態である
ことを特徴とする請求項１〜８のいずれか１項に記載の画像表示装置。
【請求項１０】
前記発光手段の発光状態は、前記発光手段の発光輝度と発光色の少なくとも一方を含むことを特徴とする請求項１〜９のいずれか１項に記載の画像表示装置。
【請求項１１】
前記発光手段は、設定された発光制御値に応じた発光を行い、
前記制御手段は、前記発光手段に設定する発光制御値を制御し、
前記画像表示装置は、前記発光手段に設定された発光制御値に基づいて、前記発光手段の発光状態を判断する判断手段をさらに有する
ことを特徴とする請求項１〜１０のいずれか１項に記載の画像表示装置。
【請求項１２】
前記入力画像データに基づいて、前記発光手段の発光状態を判断する判断手段をさらに有する
ことを特徴とする請求項１〜１０のいずれか１項に記載の画像表示装置。
【請求項１３】
前記発光手段から発せられた光を測定する測定手段をさらに有し、
前記測定手段の測定値が、前記発光手段の発光状態として使用される
ことを特徴とする請求項１〜１０のいずれか１項に記載の画像表示装置。
【請求項１４】
前記制御手段は、前記発光手段の発光期間を制御し、
前記画像表示装置は、
前記発光期間に前記発光手段から発せられた光の瞬時値を測定する測定手段と、
前記発光手段の劣化状態と前記発光手段の周囲の環境との少なくとも一方による前記発光手段の発光状態の変化が低減するように、前記測定手段の現在の測定値と第２目標値との差に基づいて、前記発光手段の発光状態を補正する第２補正手段と、
をさらに有する
ことを特徴とする請求項１〜１３のいずれか１項に記載の画像表示装置。
【請求項１５】
前記第２目標値は、前記測定手段の過去の測定値である
ことを特徴とする請求項１４に記載の画像表示装置。
【請求項１６】
発光手段と、
前記発光手段から発せられた光を変調することで画面に画像を表示する表示手段と、
を有する画像表示装置の制御方法であって、
入力画像データに基づいて前記発光手段の発光を制御する制御ステップと、
前記画面から発せられた光の測定値を取得する取得ステップと、
前記発光手段の基準の発光状態である基準状態と、前記発光手段の現在の発光状態と、に基づいて、前記取得ステップで取得された現在の測定値を補正する第１補正ステップと、
を有することを特徴とする画像表示装置の制御方法。
【請求項１７】
請求項１６に記載の画像表示装置の制御方法の各ステップをコンピュータに実行させることを特徴とするプログラム。
【発明の詳細な説明】
【技術分野】
【０００１】
本発明は、画像表示装置及びその制御方法に関する。
【背景技術】
【０００２】
近年、画像表示装置の高画質化が進んでおり、画像表示装置の安定性と色再現性に対するユーザの要求レベルも日々高まっている。また近年、医療現場において、レントゲン画像などの医療画像をデジタル化した画像データが使用されており、画面に表示された医療画像を用いた診断が行われている。そのような診断において、画像表示装置の安定性や色再現性が低い場合には、誤診が生じる虞がある。そのため、医療画像を画面に表示する場合には、画像表示装置の安定性及び色再現性として、特に高い性能が要求される。
【０００３】
しかしながら、画像表示装置の色再現性は、表示素子の経年劣化等によって変化してしまう。そのため、常に安定した色再現性を実現するためには、画面の輝度や色のキャリブレーションを定期的に行う必要がある。キャリブレーションでは、例えば、画像表示装置のガンマ特性が所望の特性に近づくように、入力画像データ（画像表示装置に入力された画像データ）に施す画像処理で使用する画像処理パラメータが調整される。
【０００４】
キャリブレーションに関する従来技術は、例えば、特許文献１に開示されている。
特許文献１に開示の技術では、画面から発せられた光を測定する光センサの測定値が目標値から変化した場合に、光センサの測定値を目標値に近づけるキャリブレーションが実行される。
【０００５】
また、液晶表示装置に関する従来技術として、複数の光源を有する発光部（バックライト）を用い、入力画像データの統計量に応じて、複数の光源の発光輝度（発光量）を個別に制御する技術が提案されている（特許文献２）。このような制御を行うことにより、表示画像（画面に表示された画像）のコントラストを向上することができる。このような制御（バックライトの発光輝度を部分的に変更する制御）は、“ローカルディミング制御”と呼ばれる。
【０００６】
上述したように、キャリブレーション、キャリブレーションを実行するか否かの判断、等においては、通常、光センサの測定値が使用される。
しかしながら、ローカルディミング制御の実行中には、入力画像データの変化に応じて光源の発光輝度が変化することにより、光センサの測定値が変化してしまうことがある。そのため、ローカルディミング制御の実行中には、表示素子の経年劣化等による測定値の変化を高精度に検出することができず、キャリブレーション、キャリブレーションを実行するか否かの判断等を高精度に実行することができないことがある。
【０００７】
このような課題を解決するための従来技術は、例えば、特許文献３に開示されている。特許文献３に開示の技術では、キャリブレーションを行う際に、光センサの測定位置の周辺に設けられた光源について、ローカルディミング制御による発光輝度の変化が抑制される。特許文献３に開示の技術を用いれば、光センサの測定値がローカルディミング制御によって変化することを抑制することができる。
【０００８】
しかしながら、特許文献３に開示の技術において、抑制領域が大きい場合には、ローカルディミング制御による発光輝度の変化を抑制しない場合と見た目が大きく異なる表示画像が得られてしまう。抑制領域は、ローカルディミング制御による発光輝度の変化を抑制する領域である。例えば、ローカルディミング制御による発光輝度の変化を抑制しない場
合と黒色の沈み方やコントラストが大きく異なる表示画像が得られてしまう。このような表示画像の見た目の変化は、抑制領域においてローカルディミングによるコントラストの向上の効果が低下してしまうことに起因する。
【０００９】
また、特許文献３に開示の技術では、光センサの測定位置の周辺の領域以外の領域に設けられた光源については、ローカルディミング制御による発光輝度の変化は抑制されない。そして、通常、光源から発せられた光は拡散する。そのため、特許文献３に開示の技術において、抑制領域が小さい場合には、他の領域の光源の発光輝度がローカルディミング制御によって変化することにより、光センサの測定値が大きく変化してしまうことがある。その結果、キャリブレーション、キャリブレーションを実行するか否かの判断を高精度に行うことができないことがある。
【００１０】
なお、ローカルディミング制御を行う場合に限らず、入力画像データに基づいて発光部の発光を制御する場合には、上述したような課題（入力画像データの変化に応じて発光部の発光状態が変化することによる光センサの測定値の変化）が発生してしまう。
【先行技術文献】
【特許文献】
【００１１】
【特許文献１】特開２００５−２０８５４８号公報
【特許文献２】特開２００６−３０５８８号公報
【特許文献３】特開２０１３−６８８１０号公報
【発明の概要】
【発明が解決しようとする課題】
【００１２】
本発明は、ローカルディミング制御の実行中であっても、表示画像の見た目の変化を招くことなく、入力画像データに応じた発光部の発光状態の変化に依存しない光センサの測定値を推定することができる技術を提供することを目的とする。
【課題を解決するための手段】
【００１３】
本発明の第１の態様は、
発光手段と、
前記発光手段から発せられた光を変調することで画面に画像を表示する表示手段と、
入力画像データに基づいて前記発光手段の発光を制御する制御手段と、
前記画面から発せられた光の測定値を取得する取得手段と、
前記発光手段の基準の発光状態である基準状態と、前記発光手段の現在の発光状態と、に基づいて、前記取得手段で取得された現在の測定値を補正する第１補正手段と、
を有することを特徴とする画像表示装置である。
【００１４】
本発明の第２の態様は、
発光手段と、
前記発光手段から発せられた光を変調することで画面に画像を表示する表示手段と、
を有する画像表示装置の制御方法であって、
入力画像データに基づいて前記発光手段の発光を制御する制御ステップと、
前記画面から発せられた光の測定値を取得する取得ステップと、
前記発光手段の基準の発光状態である基準状態と、前記発光手段の現在の発光状態と、に基づいて、前記取得ステップで取得された現在の測定値を補正する第１補正ステップと、
を有することを特徴とする画像表示装置の制御方法である。
【００１５】
本発明の第３の態様は、上述した画像表示装置の制御方法の各ステップをコンピュータ
に実行させることを特徴とするプログラムである。
【発明の効果】
【００１６】
本発明によれば、ローカルディミング制御の実行中であっても、表示画像の見た目の変化を招くことなく、入力画像データに応じた発光部の発光状態の変化に依存しない光センサの測定値を推定することができる。ひいては、キャリブレーション、キャリブレーションを実行するか否かの判断を高精度に行うことが可能となる。
【図面の簡単な説明】
【００１７】
【図１】実施例１に係る画像表示装置の機能構成の一例を示すブロック図
【図２】実施例１に係る光センサと表示部との位置関係の一例を示す図
【図３】実施例１に係る画像表示装置の動作の一例を示すフローチャート
【図４】実施例１に係る画像表示装置の動作の一例を示すフローチャート
【図５】実施例１に係る入力画像の一例を示す図
【図６】実施例１に係る合成画像の一例を示す図
【図７】実施例１に係るＯＳＤ画像の一例を示す図
【図８】実施例２に係る画像表示装置の機能構成の一例を示すブロック図
【図９】実施例２に係る画像表示装置の動作の一例を示すフローチャート
【図１０】実施例２に係る画像表示装置の動作の一例を示すフローチャート
【図１１】実施例２に係る測定用画像の一例を示す図
【図１２】実施例２に係る合成画像の一例を示す図
【発明を実施するための形態】
【００１８】
＜実施例１＞
以下、本発明の実施例１に係る画像表示装置及びその制御方法について、図面を参照して説明する。
なお、本実施例では、画像表示装置が透過型の液晶表示装置である場合の例を説明するが、画像表示装置は、透過型の液晶表示装置に限らない。画像表示装置は、独立した光源を有する画像表示装置であればよい。例えば、画像表示装置は、反射型の液晶表示装置であってもよい。また、画像表示装置は、液晶素子の代わりにＭＥＭＳ（Ｍｉｃｒｏ  Ｅｌｅｃｔｒｏ  Ｍｅｃｈａｎｉｃａｌ  Ｓｙｓｔｅｍ）シャッターを用いたＭＥＭＳシャッター方式ディスプレイであってもよい。
【００１９】
（画像表示装置の構成）
図１は、本実施例に係る画像表示装置の機能構成の一例を示すブロック図である。図１に示すように、本実施例に係る画像表示装置は、画像入力部１０１、画像処理部１０２、表示部１０３、発光制御部１０４、発光部１０５、測定値取得部１０６、発光状態判断部１０７、測定値補正部１０８、比較部１０９、等を有する。
【００２０】
画像入力部１０１は、例えば、画像データの入力端子である。画像入力部１０１としては、ＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）、ＤＶＩ（Ｄｉｇｉｔａｌ  Ｖｉｓｕａｌ  Ｉｎｔｅｒｆａｃｅ）、ＤｉｓｐｌａｙＰｏｒｔ、等の規格に対応した入力端子を用いることができる。画像入力部１０１は、パーソナルコンピュータやビデオプレイヤーなどの画像出力装置に接続される。画像入力部１０１は、画像出力装置から出力された画像データを取得（受信）し、取得した画像データ（入力画像データ）を画像処理部１０２と発光制御部１０４に出力する。
【００２１】
画像処理部１０２は、画像入力部１０１から出力された入力画像データに測定用画像データを合成することにより、合成画像データを生成し、合成画像データに画像処理を施すことにより、表示用画像データを生成する。そして、画像処理部１０２は、生成した表示
用画像データを表示部１０３に出力する。
【００２２】
測定用画像データは、測定用画像を表す画像データである。入力画像データに測定用画像データを合成することにより、入力画像データが表す入力画像に測定用画像が重畳された合成画像を表す画像データが、合成画像データとして生成される。
【００２３】
なお、測定用画像データは予め用意されていてもよいし、画像処理部１０２によって生成されてもよい。例えば、測定用画像データの画素値が予め定められており、当該画素値に基づいて測定用画像データが生成されてもよい。また、測定用画像データの画素値は、ユーザによって入力されてもよい。
なお、合成画像データを生成する処理は省略されてもよい。例えば、入力画像データに画像処理を施すことによって表示用画像データが生成されてもよい。その場合、測定用画像が重畳された画像を表す画像データが、入力画像データとして取得されてもよいし、測定用画像が重畳されていない画像を表す画像データが、入力画像データとして取得されてもよい。
なお、合成画像データを生成する処理は、画面から発せられた光（画面光）の測定を行うときにのみ実行されてもよい。例えば、画面光の測定を行うときに、合成画像データに画像処理を施すことによって表示用画像データが生成され、画面光の測定を行わないときに、入力画像データに画像処理を施すことによって表示用画像データが生成されてもよい。
【００２４】
画像処理部１０２で実行される画像処理は、例えば、輝度補正処理、色補正処理、等を含む。画像データ（入力画像データまたは合成画像データ）に画像処理を施すことにより、当該画像データに基づく画像を画面に表示した際の画面の輝度や色が変更（補正）される。画像処理部１０２は、画像処理パラメータを用いて、画像データに画像処理を施す。例えば、画像処理パラメータの初期値は予め定められている。そして、画面の輝度と色の少なくとも一方のキャリブレーションが実行されることにより、画像処理パラメータは調整される。画像処理パラメータは、例えば、Ｒゲイン値、Ｇゲイン値、Ｂゲイン値、等を含む。Ｒゲイン値は、画像データのＲ値（赤色成分値）に乗算するゲイン値であり、Ｇゲイン値は、画像データのＧ値（緑色成分値）に乗算するゲイン値であり、Ｂゲイン値は、画像データのＢ値（青色成分値）に乗算するゲイン値である。画像処理部１０２は、画像データ（入力画像データまたは合成画像データ）のＲ値にＲゲイン値を乗算し、画像データのＧ値にＧゲイン値を乗算し、画像データのＢ値にＢゲイン値を乗算することにより、表示用画像データを生成する。
【００２５】
なお、画像処理パラメータを決定するキャリブレーションは、画像表示装置で行われてもよいし、画像表示装置とは異なる装置で行われてもよい。
なお、本実施例では、画像データの画素値がＲＧＢ値である場合の例を説明するが、画像データの画素値はこれに限らない。例えば、画像データの画素値はＹＣｂＣｒ値などであってもよい。
なお、画像処理パラメータは、Ｒゲイン値、Ｇゲイン値、Ｂゲイン値に限らない。また、画像処理は、上記処理に限らない。例えば、画像処理パラメータは、画素値変換ＬＵＴ（Ｌｏｏｋ  Ｕｐ  Ｔａｂｌｅ）を含んでいてもよい。そして、画像処理は、画素値変換ＬＵＴを用いて画像データの画素値を変換する処理を含んでいてもよい。画素値変換ＬＵＴは、画像データの変換前の画素値と変換後の画素値との対応関係を表すテーブルデータである。画素値変換ＬＵＴの代わりに変換前の画素値と変換後の画素値との対応関係を表す画素値変換関数が使用されてもよい。また、画像処理パラメータは、画素値に加算する加算値を含んでいてもよい。そして、画像処理は、画像データの画素値に加算値を加算する処理を含んでいてもよい。
【００２６】
表示部１０３は、発光部１０５から発せられた光を変調することで画面に画像を表示する。本実施例では、表示部１０３は、複数の液晶素子を有する液晶パネルである。各液晶素子の透過率は、画像処理部１０２から出力された表示用画像データに応じて制御される。発光部１０５から発せられた光が、表示用画像データに応じた透過率で各液晶素子を透過することにより、画面に画像が表示される。
【００２７】
発光制御部１０４は、画像入力部１０１から出力された入力画像データに基づいて、発光部１０５の発光（発光輝度、発光色、等）を制御する。本実施例では、発光制御部１０４は、入力画像データに基づいて、発光制御値を決定する。そして、発光制御部１０４は、決定した発光制御値を発光部１０５に設定（出力）する。即ち、本実施例では、入力画像データに基づいて、発光部１０５に設定する発光制御値が制御される。発光制御値は、発光部１０５の発光輝度、発光色、等の目標値である。発光制御値は、例えば、発光部１０５に印加する駆動信号であるパルス信号のパルス幅やパルス振幅である。発光部１０５の発光輝度（発光量）をＰＷＭ（Ｐｕｌｓｅ  Ｗｉｄｔｈ  Ｍｏｄｕｌａｔｉｏｎ）制御する場合には、発光制御値として駆動信号のパルス幅を決定すればよい。発光部１０５の発光輝度をＰＡＭ（Ｐｕｌｓｅ  Ａｍｐｌｉｔｕｄｅ  Ｍｏｄｕｌａｔｉｏｎ）制御する場合には、発光制御値として駆動信号のパルス振幅を決定すればよい。発光部１０５の発光輝度をＰＨＭ（Ｐｕｌｓｅ  Ｈａｒｍｏｎｉｃ  Ｍｏｄｕｌａｔｉｏｎ）制御する場合には、発光制御値として駆動信号のパルス幅とパルス振幅の両方を決定すればよい。
【００２８】
本実施例では、発光部１０５は、個別に発光を制御可能な複数の光源（発光ブロック）を有する。そして、発光制御部１０４は、複数の光源のそれぞれに対応する画面の領域に表示すべき画像データ（入力画像データの一部または全部）に基づいて、各光源の発光を制御する（ローカルディミング制御）。具体的には、画面の領域を構成する複数の分割領域のそれぞれに光源が設けられている。発光制御部１０４は、分割領域毎に、その分割領域における入力画像データの特徴量（統計量）を取得する。そして、発光制御部１０４は、分割領域毎に、その分割領域に対して取得した特徴量に基づいて、当該分割領域に設けられた光源の発光制御値を決定する。特徴量は、例えば、画素値のヒストグラムや代表値、輝度値のヒストグラムや代表値、色度のヒストグラムや代表値、等である。代表値は、例えば、最大値、最小値、平均値、最頻値、中間値、等である。発光制御部１０４は、決定した発光制御値を発光部１０５に出力する。
【００２９】
入力画像データの明るい領域で光源の発光輝度を高め、入力画像データの暗い領域で光源の発光輝度を低減することにより、表示画像（画面に表示された画像）のコントラストを高めることができる。例えば、上記特徴量が表す輝度が高いほど発光輝度が高くなるように発光制御値を決定すれば、表示画像のコントラストを高めることができる。
また、入力画像データの色に合うように光源の発光色を制御すれば、表示画像の色域を拡大したり、表示画像の彩度を高めたりすることができる。
【００３０】
なお、光源に対応する領域は上記分割領域に限らない。光源に対応する領域として、他の光源に対応する領域に重なる領域が設定されてもよいし、他の光源に対応する領域に接しない領域が設定されてもよい。例えば、光源に対応する領域は、分割領域よりサイズの大きい領域であってもよいし、分割領域よりサイズの小さい領域であってもよい。
また、本実施例では、複数の光源に対応する複数の領域として、互いに異なる複数の領域が設定されているものとしたが、これに限らない。例えば、光源に対応する領域として、他の光源に対応する領域と同じ領域が設定されていてもよい。
【００３１】
発光部１０５は、面状の発光体として機能し、表示部１０３の背面に光（例えば白色光）を照射する。発光部１０５は、設定された発光制御値に応じた発光を行う。
上述したように、発光部１０５は、個別に発光を制御可能な複数の光源を有する。光源
は１つ以上の発光素子を有する。発光素子としては、例えば、ＬＥＤ（発光ダイオード）、有機ＥＬ（Ｅｌｅｃｔｒｏ−Ｌｕｍｉｎｅｓｃｅｎｃｅ）素子、冷陰極管素子、等を使用することができる。光源は、その光源に対して決定された発光制御値に応じて発光する。光源の発光輝度は、駆動信号のパルス幅やパルス振幅の増加に応じて増加する。換言すれば、光源の発光輝度は、駆動信号のパルス幅やパルス振幅の低下に応じて低下する。発光色が互いに異なる複数の発光素子を光源が有する場合には、光源の発光輝度だけでなく、光源の発光色も制御することができる。具体的には、光源が有する複数の発光素子の間の発光輝度の比を変更することにより、光源の発光色を変更することができる。
【００３２】
測定値取得部１０６は、画面から発せられた光の測定値を取得する。本実施例では、測定値取得部１０６は、画面の領域のうち測定用画像が表示された領域から発せられた光の測定値を取得する。例えば、測定値取得部１０６は、画面光を測定する光センサを有しており、画面光の測定値を光センサから取得する。光センサとしては、輝度センサ、色度センサ、撮像装置、等を使用することができる。光センサと表示部１０３（画面）との位置関係の一例を図２に示す。図２は、画像表示装置を画面側から見た正面図である。図２において、光センサは、画面の上端に設けられており、画面の一部の領域（所定の測定領域）から発せられた光が測定されるように、光センサの検出面（測定面）を画面の方向に向けて配置されている。図２の例では、測定面が測定領域と対向するように光センサが設けられている。測定用画像は測定領域に表示され、光センサでは測定用画像の表示色や表示輝度が測定される。測定値取得部１０６は、光センサから取得した測定値を測定値補正部１０８に出力する。測定値は、例えば、３刺激値ＸＹＺである。
【００３３】
なお、画面光の測定値はどのような値であってもよい。例えば、画面光の瞬時値であってもよいし、画面光の時間平均値であってもよいし、画面光の時間積分値であってもよい。測定値取得部１０６は、光センサから画面光の瞬時値を取得し、画面光の瞬時値から画面光の時間平均値や時間積分値を測定値として算出してもよい。画面光が暗い場合のように、画面光の瞬時値がノイズの影響を受けやすい場合には、画面光の測定時間を延ばし、画面光の時間平均値や時間積分値を測定値として取得することが好ましい。それにより、ノイズの影響が小さい測定値を得ることができる。また、測定値は、ＸＹＺ値でなく、輝度値、色度値、ＲＧＢ値、等であってもよい。
なお、光センサは、画像表示装置１００とは別体の装置であってもよい。
なお、画面光の測定領域は、所定の領域でなくてもよい。例えば、測定領域は、ユーザによって変更可能な領域であってもよい。
【００３４】
発光状態判断部１０７は、発光制御部１０４から出力された発光制御値（発光部１０５に設定された発光制御値）を取得し、発光部１０５に設定された発光制御値に基づいて、発光部１０５の発光状態を判断する。そして、発光状態判断部１０７は、発光部１０５の発光状態の判断結果を表す発光状態値を、測定値補正部１０８に出力する。
本実施例では、発光状態判断部１０７は、測定用画像が表示される領域（所定の測定領域）における発光部１０５の発光状態を判断する。具体的には、発光状態判断部１０７は、各光源の発光制御値に基づいて、測定領域（表示部１０３の背面の領域のうち、測定領域に対応する領域）に発光部１０５が照射する光の輝度を取得する。そして、発光状態判断部１０７は、測定領域に発光部１０５が照射する光の輝度を表す発光状態値を、測定値補正部１０８に出力する。
なお、発光状態として、発光部１０５の発光輝度ではなく、発光部１０５の発光色が判断されてもよい。また、発光状態として、発光部１０５の発光輝度と発光色の両方が判断されてもよい。
【００３５】
光源からの光は拡散するため、測定領域には、測定領域内に位置する光源からの光だけでなく、測定領域外に位置する光源からの光（拡散光；漏れ光）も照射される。即ち、測
定領域に発光部１０５が照射する光の輝度は、複数の光源からの光の合成光の輝度である。
【００３６】
発光状態判断部１０７は、測定領域内の光源から発せられ測定領域に照射される光の輝度として、当該光源の発光制御値に対応する発光輝度を取得する。発光制御値に対応する発光輝度は、発光制御値と発光輝度との対応関係を表す関数やテーブルを用いて決定することができる。また、発光制御値に対応する発光輝度が発光制御値に比例する場合には、発光制御値が、発光制御値に対応する発光輝度として使用されてもよい。
また、発光状態判断部１０７は、測定領域外の光源から発せられ測定領域に照射される光の輝度として、当該光源の発光制御値に対応する発光輝度に係数を乗算した値を取得する。
そして、発光状態判断部１０７は、取得した各光源の輝度の総和を、測定領域に発光部１０５が照射する光の輝度として取得する。
【００３７】
本実施例では、光源毎に発光輝度に乗算する係数を表す拡散プロファイルが予め用意されている。発光状態判断部１０７は、拡散プロファイルから係数を読み出し、読み出した係数を発光制御値に対応する発光輝度に乗算することにより、光源から発せられ測定領域に照射される光の輝度を算出する。係数は、光源から発せられ測定領域に到達する光の到達率である。具体的には、係数は、光源から発せられた光の輝度比であって、光源の位置における輝度に対する測定領域の位置における輝度の比である。光源から発せられ測定領域に到達するまでの光の輝度の低下は、光源と測定領域との間の距離が短いほど小さい。そのため、拡散プロファイルでは、光源と測定領域との間の距離が短いほど大きい（１に近い）係数が設定されている。換言すれば、光源から発せられ測定領域に到達するまでの光の輝度の低下は、光源と測定領域との間の距離が長いほど大きい。そのため、拡散プロファイルでは、光源と測定領域との間の距離が長いほど小さい（０に近い）係数が設定されている。本実施例では、測定領域内の光源に対応する係数として１が設定されており、測定領域外の光源に対応する係数として１より小さい値が設定されている。
【００３８】
なお、測定領域における発光部１０５の発光状態は、全ての光源の発光制御値を使用して取得されてもよいし、一部の光源の発光制御値を使用して取得されてもよい。例えば、測定領域内の光源の発光制御値と、測定領域からの距離が閾値以下である光源の発光制御値と、を用いて、発光状態が取得されてもよい。測定領域からの距離と比較する閾値は、メーカによって予め定められた固定値であってもよいし、ユーザが変更可能な値であってもよい。測定領域の直下に位置する光源（例えば、測定領域の中心に最も近い光源）の発光制御値に対応する発光輝度が、発光状態として取得されてもよい。特に、光源からの光の拡散が少ない場合には、測定領域の直下に位置する光源の発光制御値に対応する発光輝度を発光状態として取得することが好ましい。光源からの光の拡散が少ない場合には、測定領域の直下に位置する光源の発光制御値に対応する発光輝度を発光状態として取得しても、誤差の小さい発光状態を得ることができる。また、測定領域の直下に位置する光源以外の光源を考慮しないことにより、処理負荷を低減することができる。
【００３９】
測定値補正部１０８は、発光部１０５の現在の発光状態を表す発光状態値を発光状態判断部１０７から取得し、測定値取得部１０６で取得された現在の測定値を取得する。そして、測定値補正部１０８は、基準状態値と、現在の発光状態値と、に基づいて、画面光の現在の測定値を補正する（第１補正処理）。基準状態値は、発光部１０５の基準の発光状態である基準状態を表す値である。測定値補正部１０８は、補正後の測定値である補正測定値を、比較部１０９に出力する。
【００４０】
測定領域における画像データの画素値が一定であっても、発光部１０５の発光状態の変化に応じて画面光の測定値は変化してしまう。例えば、測定領域における画像データの画
素値が一定であっても、測定領域やその周囲の領域における光源の発光状態が変化すると、画面光の測定値も変化してしまう。そのため、画面光の測定値をそのまま用いたのでは、キャリブレーション、キャリブレーションを実行するか否かの判断を高精度に行うことができない。
そこで、本実施例では、測定値補正部１０８は、基準状態値と、現在の発光状態値と、に基づいて、画面光の現在の測定値を補正する。換言すれば、基準状態値、発光状態判断部１０７で取得された現在の発光状態値、及び、測定値取得部１０６で取得された現在の測定値、に基づいて、発光部１０５の発光状態を基準状態に制御した場合における画面光の現在の測定値が推定される。それにより、発光部１０５の発光状態が基準状態から変化したことによる画面光の測定値の変化に依存しない値、言い換えると、発光部１０５の発光状態の変化に依存しない値を補正測定値として取得することができる。
【００４１】
比較部１０９は、補正測定値と第１目標値を比較する。そして、補正測定値と第１目標値の差が閾値以上である場合に、補正測定値が第１目標値と異なることをユーザに通知する。このような通知を行うことにより、適切なタイミングでのキャリブレーションの実行をユーザに促すことが可能となる。本実施例では、比較部１０９は、画面光の測定値が目標値と異なる旨のメッセージが記載されたＯＳＤ（Ｏｎ−Ｓｃｒｅｅｎ−Ｄｉｓｐｌａｙ）画像を表す通知画像データを生成し、通知画像データを表示部１０３に出力する。それにより、画面にＯＳＤ画像（通知画像）が表示され、画面光の測定値が目標値と異なることをユーザに通知することができる。
【００４２】
なお、ユーザへの通知の方法は、上記方法に限らない。例えば、ユーザへの通知は、画像表示装置の画面にグラフィック画像（アイコン等）を表示することによっても実現することができる。ユーザへの通知は、所定の音声をスピーカ等から出力することによっても実現することができる。ユーザへの通知は、画面の領域とは別の領域に設けられた発光素子を所定の発光パターンで発光させることによっても実現することができる。
なお、第１目標値Ｙｔは、メーカによって予め定められた固定値であってもよいし、ユーザが変更可能な値であってもよい。例えば、画面の輝度や色のキャリブレーション（画面から発せられた光の測定値を目標値に近づけるキャリブレーション）の目標値が第１目標値として使用されてもよい。測定用画像データの画素値に応じて第１目標値が決定されてもよい。測定用画像データの合成を行わない場合には、入力画像データの画素値に応じて、第１目標値が決定されてもよい。
なお、補正測定値と第１目標値の差と比較する閾値は、メーカによって予め定められた固定値であってもよいし、ユーザが変更可能な値であってもよい。例えば、人間の視覚特性に基づいて決定された輝度差が、補正測定値と第１目標値の差と比較する閾値として使用されてもよい。具体的には、人間が違いを感じることのできる輝度差が、補正測定値と第１目標値の差と比較する閾値として使用されてもよい。測定用画像データの画素値に応じて、補正測定値と第１目標値の差と比較する閾値が決定されてもよい。測定用画像データの合成を行わない場合には、入力画像データの画素値に応じて、補正測定値と第１目標値の差と比較する閾値が決定されてもよい。
【００４３】
（画像表示装置の動作１）
基準状態値は、例えば、画像表示装置が図３のフローチャートを実行することにより決定される。
なお、本実施例では、基準状態が、発光部１０５が有する全ての光源の発光状態が互いに等しい発光状態である場合の例を説明するが、基準状態はこれに限らない。例えば、基準状態は、発光部１０５が有する一部の光源の発光状態が、発光部１０５が有する他の光源の発光状態と異なる発光状態であってもよい。
なお、基準状態値の決定方法は、図３のフローチャートに示す方法に限らない。例えば、基準状態値は、シミュレーションによって決定されてもよい。基準状態値は、メーカに
よって予め定められた固定値であってもよいし、そうでなくてもよい。基準状態値は、ユーザが最初に画像表示装置を使用する際に決定されてもよいし、画像表示装置のキャリブレーションの実行直後に決定されてもよい。また、基準状態値は、ユーザの任意のタイミングで決定されてもよい。
【００４４】
以下、図３のフローチャートについて説明する。
【００４５】
まず、画像入力部１０１が、全ての画素値が互いに等しい画像データである入力画像データを取得する（Ｓ１１）。本実施例では、白色のベタ画像である白色画像を表す白色画像データが、入力画像データとして取得される。白色画像データは、“全ての画素値が白色の画素値である画像データ”ということもできる。本実施例では、Ｒ値、Ｇ値、及び、Ｂ値が、それぞれ８ビットの値であるものとする。そして、白色の画素値（Ｒ値，Ｇ値，Ｂ値）が、（２５５，２５５，２５５）であるものとする。画像入力部１０１は、入力画像データである白色画像データを、画像処理部１０２と発光制御部１０４に出力する。なお、白色画像データの代わりに、グレー色のベタ画像であるグレー色画像を表すグレー色画像データを用いてもよい。ベタ画像の画素値は特に限定されない。
【００４６】
次に、画像処理部１０２が、白色画像データに画像処理を施すことにより、表示用画像データを生成する（Ｓ１２）。具体的には、画像処理部１０２は、白色画像データのＲ値にＲゲイン値を乗算し、白色画像データのＧ値にＧゲイン値を乗算し、白色画像データのＢ値にＢゲイン値を乗算することにより、表示用画像データを生成する。画像処理部１０２は、生成した表示用画像データを表示部１０３に出力する。それにより、表示部１０３の透過率が、白色画像データに基づく透過率に制御される。
【００４７】
そして、発光制御部１０４が、発光部１０５が有する複数の光源のそれぞれについて、発光制御値を決定する（Ｓ１３）。上述したように、白色画像データの全ての画素値は互いに等しい。そのため、発光制御部１０４では、分割領域に表示すべき画像データの特徴量として、複数の分割領域の間で互いに等しい値が取得される。そして、発光制御部１０４では、発光部１０５からの発光の面ムラがなくなるように、各光源の発光制御値が決定される。画面端の光源は隣接する光源の数が少ないため隣接光源から拡散される光量が少ない分、画面端の光源の発光量を画面中央の光源の発光量よりも大きくすることで、発光部１０５からの発光の面ムラが抑制される。本実施例では、発光部１０５がＮ個の光源を有しており、Ｎ個の光源の番号ｎ（ｎは１以上Ｎ以下の整数）が予め定められている。ここでは、番号ｎの光源の発光制御値を“発光制御値ＡＡｎ”と記載する。発光制御部１０４は、決定した発光制御値ＡＡ１〜ＡＡＮを発光部１０５に出力する。それにより、各光源が発光制御値に応じて発光する。そして、発光部１０５から発せられた光が表示部１０３を透過することにより、白色画像が画面に表示される。
【００４８】
次に、発光状態判断部１０７が、Ｓ１３で決定された発光制御値ＡＡｎと、拡散プロファイルと、を用いて、発光状態値を算出する（Ｓ１４）。ここでは、拡散プロファイルが表す係数のうち、番号ｎの光源の係数を、“係数Ｐｎ”と記載する。Ｓ１４では、発光状態判断部１０７は、以下の式１を用いて発光状態値Ｄ１を算出する。
Ｄ１＝ＡＡ１×Ｐ１＋ＡＡ２×Ｐ２＋・・・＋ＡＡＮ×ＰＮ  ・・・（式１）
発光状態判断部１０７は、算出した発光状態値Ｄ１を測定値補正部１０８に出力する。
【００４９】
そして、測定値補正部１０８が、Ｓ１４で算出された発光状態値Ｄ１を、基準状態値として記憶する（Ｓ１５）。
【００５０】
（画像表示装置の動作２）
次に、補正測定値を取得し、補正測定値を第１目標値と比較する処理について、図４のフローチャートを用いて説明する。
図４のフローチャートは、基準状態値を取得した後に常時実行されてもよいし、ユーザが指定した期間にのみ実行されてもよい。画像表示装置のキャリブレーションが行われてから所定時間経過した後に常時実行されてもよい。
【００５１】
まず、画像入力部１０１が、入力画像データを取得する（Ｓ２１）。Ｓ２１で取得される入力画像データは特に限定されない。Ｓ２１で取得される入力画像データは、静止画像の画像データであってもよいし、動画像の画像データであってもよい。入力画像データが動画像の画像データである場合には、フレーム毎に処理が行われる。ここでは、図５に示す入力画像を表す入力画像データが取得された場合の例を説明する。図５は入力画像の一例を示す。図５の入力画像は、３つの領域１〜３を有する。領域１〜３は、画素値が互いに異なる。領域１は白色の領域であり、領域１の画素値（Ｒ値，Ｇ値，Ｂ値）は（２５５，２５５，２５５）である。領域２はグレー色の領域であり、領域２の画素値は（１２８，１２８，１２８）である。領域３は黒色の領域であり、領域３の画素値は（０，０，０）である。画像入力部１０１は、入力画像データを、画像処理部１０２と発光制御部１０４に出力する。
【００５２】
次に、画像処理部１０２が、入力画像データに画像処理を施すことにより、表示用画像データを生成する（Ｓ２２）。具体的には、画像処理部１０２は、入力画像データのＲ値にＲゲイン値を乗算し、入力画像データのＧ値にＧゲイン値を乗算し、入力画像データのＢ値にＢゲイン値を乗算することにより、表示用画像データを生成する。そして、画像処理部１０２は、生成した表示用画像データを表示部１０３に出力する。それにより、図５の領域１の液晶素子の透過率が、画素値（２５５，２５５，２５５）に基づく値に制御される。具体的には、領域１の液晶素子の透過率が、画素値（２５５，２５５，２５５）にゲイン値を乗算した値に応じた値に制御される。領域２の液晶素子の透過率が、画素値（１２８，１２８，１２８）に基づく値に制御される。そして、領域３の液晶素子の透過率が、画素値（０，０，０）に基づく値に制御される。
【００５３】
そして、発光制御部１０４が、発光部１０５が有する複数の光源のそれぞれについて、発光制御値を決定する（Ｓ２３）。画像データの画素値の最大値が特徴量として取得される場合、領域１に含まれる分割領域に対しては“２５５”が特徴量として取得される。そして、領域２に含まれる分割領域に対しては“１２８”が特徴量として取得され、領域３に含まれる分割領域に対しては“０”が特徴量として取得される。その後、光源毎に、その光源に対応する分割領域に対して取得された特徴量に応じて発光制御値が決定される。領域１に設けられた光源（領域１に含まれる分割領域に設けられた光源）に対しては、領域１が明るい（特徴量が表す輝度が高い）ため、高い発光輝度に対応する大きい発光制御値が取得される。領域３に設けられた光源に対しては、領域３が暗い（特徴量が表す輝度が低い）ため、低い発光輝度に対応する小さい発光制御値が取得される。領域２に設けられた光源に対しては、領域１に設けられた光源に対して取得された発光制御値と、領域３に設けられた光源に対して取得された発光制御値と、の間の発光制御値が取得される。ここでは、番号ｎの光源の発光制御値を“発光制御値ＡＢｎ”と記載する。発光制御部１０４は、決定した発光制御値ＡＢ１〜ＡＢＮを発光部１０５に出力する。それにより、領域１に設けられた光源は高い発光輝度で発光し、領域３に設けられた光源は低い発光輝度で発光する。そして、領域２に設けられた光源は、領域１に設けられた光源の発光輝度と、領域３に設けられた光源の発光輝度と、の間の発光輝度で発光する。そして、発光部１０５から発せられた光が表示部１０３を透過することにより、入力画像が画面に表示される。入力画像データに応じて各光源の発光輝度を個別に制御することにより、複数の光源の発光輝度が互いに等しい場合に比べ高いコントラストの表示画像を得ることができる。
【００５４】
次に、画像処理部１０２が、入力画像データに測定用画像データを合成することにより、合成画像データを生成する（Ｓ２４）。合成画像データを生成した後には、合成画像データに画像処理（ゲイン値を乗算する処理）を施すことによって表示用画像データが生成され、生成された表示用画像データが表示部１０３に出力される。それにより、表示部１０３の透過率が入力画像データに基づく透過率から合成画像データに基づく透過率に変更され、表示画像が入力画像から合成画像に変更される。ここでは、図６に示す合成画像が表示された場合の例を説明する。図６は、合成画像の一例を示す。図６の合成画像では、測定値取得部１０６で使用される光センサが設けられた領域である測定領域に測定用画像７９が配置されている。測定用画像７９の画素値（Ｒ値，Ｇ値，Ｂ値）は、例えば、（２５５，２５５，２５５）である。
なお、Ｓ２２の処理は行われずに、Ｓ２４の処理が行われてもよい。
【００５５】
そして、測定値取得部１０６が、Ｓ２４において測定領域に表示された測定用画像の測定値を取得する（Ｓ２５）。換言すれば、測定値取得部１０６は、Ｓ２４において合成画像が表示された状態で測定領域から発せられた画面光の測定値を取得する。ここでは、測定値（Ｘ値，Ｙ値，Ｚ値）として、（Ｘ１，Ｙ１，Ｚ１）が取得されたとする。測定値取得部１０６は、取得した測定値（Ｘ１，Ｙ１，Ｚ１）を測定値補正部１０８に出力する。
【００５６】
次に、発光状態判断部１０７が、Ｓ２３で決定された発光制御値ＡＢｎと、拡散プロファイルと、を用いて、発光状態値を算出する（Ｓ２６）。Ｓ２６では、発光状態判断部１０７は、以下の式２を用いて発光状態値Ｄ２を算出する。
Ｄ２＝ＡＢ１×Ｐ１＋ＡＢ２×Ｐ２＋・・・＋ＡＢＮ×ＰＮ  ・・・（式２）
発光状態判断部１０７は、算出した発光状態値Ｄ２を測定値補正部１０８に出力する。
【００５７】
次に、測定値補正部１０８が、基準状態値Ｄ１と、Ｓ２６で取得された発光状態値Ｄ２と、に基づいて、Ｓ２５で取得された測定値（Ｘ１，Ｙ１，Ｚ１）を補正することにより、補正測定値（Ｘ２，Ｙ２，Ｚ２）を取得する（Ｓ２７）。Ｓ２７では、補正測定値のＸ値であるＸ２が以下の式３−１を用いて算出され、補正測定値のＹ値であるＹ２が以下の式３−２を用いて算出され、補正測定値のＺ値であるＺ２が以下の式３−３を用いて算出される。
Ｘ２＝Ｘ１×Ｄ１÷Ｄ２  ・・・（式３−１）
Ｙ２＝Ｙ１×Ｄ１÷Ｄ２  ・・・（式３−２）
Ｚ２＝Ｚ１×Ｄ１÷Ｄ２  ・・・（式３−３）
測定値補正部１０８は、算出した補正測定値（Ｘ２，Ｙ２，Ｚ２）を比較部１０９に出力する。
【００５８】
式３−１〜式３−３に示すように、本実施例では、測定値取得部１０６で取得された測定値（Ｘ１，Ｙ１，Ｚ１）に発光状態値の変化率の逆数であるＤ１÷Ｄ２を乗算することにより、補正測定値（Ｘ２，Ｙ２，Ｚ２）が算出される。
例えば、発光状態値Ｄ２が基準状態値Ｄ１の１／２に低下した場合には、測定領域に発光部１０５が照射する光の光量は発光部１０５の発光状態が基準状態のときの１／２に低下する。そのため、画面光の測定値（Ｘ１，Ｙ１，Ｚ１）も発光部１０５の発光状態が基準状態のときの１／２に低下してしまう。
本実施例では、測定値取得部１０６で取得された測定値（Ｘ１，Ｙ１，Ｚ１）に発光状態値の変化率の逆数であるＤ１÷Ｄ２＝２を乗算することにより、補正測定値（Ｘ２，Ｙ
２，Ｚ２）＝（Ｘ１×２，Ｙ１×２，Ｚ１×２）が算出される。そのため、発光部１０５の発光状態が基準状態のときの画面光の現在の測定値を、補正測定値（Ｘ２，Ｙ２，Ｚ２）として得ることができる。換言すれば、測定値（Ｘ１，Ｙ１，Ｚ１）を、発光部１０５の発光状態が基準状態のときの画面光の現在の測定値に換算することができる。
【００５９】
そして、比較部１０９が、Ｓ２７で算出された補正測定値（Ｘ２，Ｙ２，Ｚ２）と第１目標値との差が閾値ＴＨ１以上であるか否かを判断する（Ｓ２８）。第１目標値は、例えばユーザにより予め設定される値である。
本実施例では、比較部１０９は、補正測定値のＹ値であるＹ２と第１目標値Ｙｔ（目標Ｙ値；目標輝度値）とを比較する。具体的には、比較部１０９は、以下の式４を用いて輝度差Ｋを算出する。
Ｋ＝｜Ｙ２−Ｙｔ｜  ・・・（式４）
そして、比較部１０９は、輝度差Ｋが閾値ＴＨ１以上であるか否かを判断する。
輝度差Ｋが閾値ＴＨ１以上である場合には、Ｓ２９に処理が進められる。輝度差Ｋが閾値ＴＨ１未満である場合には、本フローが終了される。
【００６０】
なお、補正測定値と第１目標値との差は、補正測定値と第１目標値の一方から他方を減算した値の絶対値に限らない。補正測定値と第１目標値との差は、補正測定値と第１目標値の比であってもよい。
なお、第１目標値としてＸ値の目標値（目標Ｘ値）が使用され、Ｘ２と目標Ｘ値との差が閾値以上か否かが判断されてもよい。第１目標値としてＺ値の目標値（目標Ｚ値）が使用され、Ｚ２と目標Ｚ値との差が閾値以上か否かが判断されてもよい。目標Ｘ値、目標Ｙ値、及び、目標Ｚ値の３つの目標値が第１目標値として使用されてもよい。そして、Ｘ２と目標Ｘ値との差、Ｙ２と目標Ｙ値との差、及び、Ｚ２と目標Ｚ値との差の平均値が閾値以上か否かが判断されてもよい。
なお、輝度差Ｋが閾値ＴＨ１未満である場合には、Ｓ２１に処理が戻されてもよい。Ｓ２８からＳ２１へ処理を戻す場合には、所定の待機時間だけ待機した後にＳ２１に処理が戻されてもよいし、待機することなくＳ２１に処理が戻されてもよい。
【００６１】
Ｓ２９では、比較部１０９が、画面光の測定値が目標値と異なる旨のメッセージが記載されたＯＳＤ画像を表す通知画像データを生成し、通知画像データを表示部１０３に出力する。それにより、画面にＯＳＤ画像が表示され、画面光の測定値が目標値と異なることをユーザに通知することができる。図７にＯＳＤ画像の一例を示す。符号８０はＯＳＤ画像を示す。図７の例では、ＯＳＤ画像８０に「表示輝度がずれています。キャリブレーションを実行してください。」というメッセージが記載されている。ユーザは、このメッセージを見ることで、キャリブレーションが必要であると判断することができる。そして、適切なタイミングでのキャリブレーションの実行をユーザに促すことができる。
【００６２】
以上述べたように、本実施例によれば、入力画像データの変化による光源の発光輝度の変化（例えば、ローカルディミング制御による光源の発光輝度の変化）は制限されない。そして、本実施例によれば、発光部の発光状態が基準状態から変化したことによる画面光の測定値の変化が低減するように、測定値取得部で取得された測定値が補正される。それにより、ローカルディミング制御の実行中であっても、表示画像の見た目の変化を招くことなく、入力画像データに応じた発光部の発光状態の変化に依存しない光センサの測定値を推定することができる。
また、本実施例によれば、補正後の測定値と第１目標値との差が閾値以上である場合に、補正後の測定値が第１目標値と異なることがユーザに通知される。それにより、ユーザは、キャリブレーションを実行するか否かの判断を高精度に行うことが可能となる。
【００６３】
なお、本実施例では、基準状態値Ｄ１は白色画像データの特徴量に応じて算出された発光制御値を元に算出されたが、基準状態値Ｄ１を算出する際の発光状態はこれに限るものではない。例えば、画像表示装置がローカルディミング制御を行うモードと行わないモードを有する場合には、ローカルディミング制御を行わないモードにおける発光制御値を元に基準状態値Ｄ１を算出するようにしても良い。
また、本実施例では、発光制御値に基づいて発光部の発光状態を判断する例を説明したが、これに限らない。例えば、発光部の発光は入力画像データに基づいて制御されるため、入力画像データに基づいて発光部の発光状態を判断することもできる。また、画像表示装置は、発光部から発せられた光を測定する測定部を有していてもよい。そして、測定部の測定値が、発光部の発光状態として使用されてもよい。
【００６４】
なお、本実施例では、ローカルディミング制御が行われる場合の例を説明したが、これに限らない。入力画像データに基づいて発光部の発光が制御されればよい。例えば、発光部が画面の領域全体に対応する１つの光源を有し、当該１つの光源の発光が入力画像データに基づいて制御されてもよい。
【００６５】
なお、本実施例では、補正後の測定値と第１目標値との差が閾値以上である場合にユーザ通知を行う例を説明したが、これに限らない。
例えば、画像表示装置は、補正後の測定値と第１目標値との差が閾値以上である場合にキャリブレーションを実行する校正部を有していてもよい。補正後の測定値を使用してキャリブレーションを実行するか否かを判断することにより、キャリブレーションを実行するか否かの判断を高精度に行うことができる。また、上記校正部を用いることにより、適切なタイミングで自動的にキャリブレーションを実行することができる。例えば、校正部は、補正後の測定値を用いて、画面の輝度や色のキャリブレーションを実行する。例えば、画像表示装置のガンマ特性が所望の特性に近づくように、入力画像データに施す画像処理で使用する画像処理パラメータが調整される。さらに、校正部は、光源の発光輝度や発光色のキャリブレーションを実行してもよい。この場合、光源の発光輝度や発光色が目標値に近づくように調整される。
【００６６】
なお、補正後の測定値を用いてキャリブレーションが実行されてもよいし、補正前の測定値を用いてキャリブレーションが実行されてもよい。
補正後の測定値は、発光部の発光状態が基準状態から変化したことによる画面光の測定値の変化が抑制された値である。そのため、補正後の測定値を用いてキャリブレーションを実行すれば、キャリブレーションを高精度に実行することができ、高精度なキャリブレーション結果を得ることができる。
キャリブレーションの実行時に発光部の発光状態が基準状態に制御されれば、ローカルディミング制御による測定値の変化の無い測定値が測定値取得部で取得される。そのため、キャリブレーションの実行時に発光部の発光状態が基準状態に制御されれば、補正前の測定値を用いてキャリブレーションが実行されたとしても、高精度なキャリブレーション結果を得ることができる。
【００６７】
なお、画像表示装置が有する校正部が、補正後の測定値を用いてキャリブレーションを実行する校正部である場合には、補正後の測定値と第１目標値との差が閾値以上であるか否かの判断は行われなくてもよい。例えば、ユーザが指示したタイミングや所定のタイミングでキャリブレーションが実行されてもよい。
【００６８】
＜実施例２＞
以下、本発明の実施例２に係る画像表示装置及びその制御方法について、図面を参照して説明する。本実施例では、発光部から発せられた光を測定する測定部を画像表示装置が
さらに有する場合の例を説明する。
なお、以下では、実施例１と異なる構成や処理について詳しく説明し、実施例１と同様の構成や処理についての説明は省略する。
【００６９】
（画像表示装置の構成）
図８は、本実施例に係る画像表示装置の機能構成の一例を示すブロック図である。図８に示すように、本実施例に係る画像表示装置は、画像入力部１０１、画像処理部１０２、表示部１０３、発光制御部１０４、発光部１０５、測定部１１０、発光状態補正部１１１、測定値取得部１０６、発光状態判断部１０７、測定値補正部１０８、比較部１０９、等を有する。
なお、図８に示す機能部のうち実施例１（図１）と同じ機能部には同じ符号を付し、その説明は省略する。
【００７０】
本実施例では、発光制御部１０４は、発光部１０５の発光をＰＷＭ制御する。即ち、本実施例では、発光制御部１０４は、発光部１０５の発光期間（の長さ）を制御する。具体的には、発光制御部１０４は、発光部１０５に印加する駆動信号であるパルス信号のパルス幅を制御する。そして、本実施例では、発光期間に発光部１０５が発する光は、意図的には変更されない。具体的には、発光部１０５に印加する駆動信号であるパルス信号のパルス振幅は変更されない。
【００７１】
測定部１１０は、発光期間（発光部１０５が発光している期間；パルス信号の値が“Ｈｉｇｈ”である期間）に発光部１０５から発せられた光の瞬時値を測定する。測定部１１０としては、例えば、光センサ（輝度センサ、色度センサ、撮像装置、等）を用いることができる。測定部１１０の測定値は、例えば、ＸＹＺ３刺激値である。
測定部１１０は、発光部１０５から発せられた光の瞬時値の測定値を、発光状態補正部１１１に出力する。
液晶表示装置などにおいては、発光部１０５は“バックライト”とも呼ばれる。そのため、以後、測定部１１０の測定値（発光部１０５から発せられた光の測定値）を“ＢＬ（ＢａｃｋＬｉｇｈｔ）測定値”と記載する。また、測定値取得部１０６で取得された測定値（画面光の測定値）を“画面測定値”と記載する。
【００７２】
なお、ＢＬ測定値は、ＸＹＺ値でなく、輝度値、色度値、ＲＧＢ値、等であってもよい。
なお、測定部１１０は、１つの光センサを有していてもよいし、複数の光センサを有していてもよい。測定部１１０が１つの光センサを有する場合には、当該光センサの測定値がＢＬ測定値として取得されてもよい。測定部１１０が複数の光センサを有する場合には、複数の光センサで得られた複数の測定値のそれぞれがＢＬ測定値として取得されてもよい。複数の光センサで得られた複数の測定値の代表値がＢＬ測定値として取得されてもよい。
なお、測定部１１０が有する光センサの配置は特に限定されない。例えば、測定部１１０が１つの光センサを有する場合には、画面の領域の中心に光センサが配置されていてもよいし、画面の領域の端に光センサが配置されていてもよい。測定部１１０が複数の光センサを有する場合には、複数の光センサの間隔は均一であってもよいし、均一でなくてもよい。
【００７３】
発光状態補正部１１１は、発光部１０５の劣化状態と発光部１０５の周囲の環境（温度等）との少なくとも一方による発光部１０５の発光状態の変化が低減するように、発光部１０５の発光状態を補正する（第２補正処理）。発光状態補正部１１１は、測定部１１０の現在のＢＬ測定値と測定部１１０の第２目標値との差に基づいて、発光部１０５の発光状態を補正する。本実施例では、発光部１０５に入力する発光制御値を補正し、補正後の
発光制御値を発光部１０５に出力（設定）する。それにより、発光部１０５の発光状態が補正される。
【００７４】
具体的には、発光状態補正部１１１は、測定部１１０の現在のＢＬ測定値と第２目標値との差に基づいて、発光制御値を補正する処理で使用する補正値を決定する。本実施例では、補正値として、発光制御値に乗算する補正係数が決定される。
そして、発光状態補正部１１１は、決定した補正値を用いて発光部１０５の発光状態を補正する。本実施例では、発光状態補正部１１１は、発光制御部１０４から出力された発光制御値に補正値（補正係数）を乗算することにより、発光部１０５に入力する発光制御値を補正する。補正係数が１より大きい場合には、発光期間の長さが増加され、発光部１０５の発光輝度が高められる。補正係数が１より小さい場合には、発光期間の長さが低減され、発光部１０５の発光輝度が低減される。
【００７５】
なお、補正値は、発光制御値に加算する補正加算値であってもよい。
なお、発光状態判断部１０７で生成される発光状態値は、発光部１０５の劣化状態と発光部１０５の周囲の環境には依存しない。そのため、本実施例では、発光状態判断部１０７に入力する発光制御値は補正しない。
【００７６】
（画像表示装置の動作１）
第２目標値は、例えば、画像表示装置が図９のフローチャートを実行することにより決定される。図９のフローチャートは、第２補正処理よりも前に実行される。図９のフローチャートによれば、測定部１１０の過去のＢＬ測定値が、第２目標値として取得される。
なお、第２目標値の決定方法は、図９のフローチャートに示す方法に限らない。例えば、第２目標値は、シミュレーションによって決定されてもよい。第２目標値は、メーカによって予め定められた固定値であってもよいし、そうでなくてもよい。第２目標値は、ユーザが最初に画像表示装置を使用する際に決定されてもよい。第２目標値は、ユーザの任意のタイミングで決定されてもよい。また、第２目標値は、ユーザが任意に定めた値であってもよい。
【００７７】
以下、図９のフローチャートについて説明する。
【００７８】
まず、画像入力部１０１が、白色画像データを入力画像データとして取得する（Ｓ３１）。画像入力部１０１は、入力画像データである白色画像データを、画像処理部１０２と発光制御部１０４に出力する。
【００７９】
次に、画像処理部１０２が、白色画像データに画像処理を施すことにより、表示用画像データを生成する（Ｓ３２）。画像処理部１０２は、生成した表示用画像データを表示部１０３に出力する。それにより、表示部１０３の透過率が、白色画像データに基づく透過率に制御される。
【００８０】
そして、発光制御部１０４が、発光部１０５が有する複数の光源のそれぞれについて、発光制御値を決定する（Ｓ３３）。本実施例では、発光部１０５がＮ個の光源を有しており、Ｎ個の光源の番号ｎ（ｎは１以上Ｎ以下の整数）が予め定められている。ここでは、番号ｎの光源の発光制御値を“発光制御値ＢＡｎ”と記載する。発光制御部１０４は、決定した発光制御値ＢＡ１〜ＢＡＮを発光部１０５に出力する。それにより、各光源が発光制御値に応じて発光する。そして、発光部１０５から発せられた光が表示部１０３を透過することにより、白色画像が画面に表示される。
【００８１】
次に、発光状態判断部１０７が、Ｓ３３で決定された発光制御値ＢＡｎと、拡散プロファイルと、を用いて、発光状態値を算出する（Ｓ３４）。ここでは、拡散プロファイルが
表す係数のうち、番号ｎの光源の係数を、“係数Ｐｎ”と記載する。Ｓ３４では、発光状態判断部１０７は、以下の式５を用いて発光状態値Ｄ３を算出する。
Ｄ３＝ＢＡ１×Ｐ１＋ＢＡ２×Ｐ２＋・・・＋ＢＡＮ×ＰＮ  ・・・（式５）
発光状態判断部１０７は、算出した発光状態値Ｄ３を測定値補正部１０８に出力する。
【００８２】
そして、測定値補正部１０８が、Ｓ３４で算出された発光状態値Ｄ３を、基準状態値として記憶する（Ｓ３５）。
【００８３】
次に、測定部１１０が、発光部１０５から発せられた光の瞬時値を測定することによって、ＢＬ測定値Ｆ１を取得する（Ｓ３６）。測定部１１０は、ＢＬ測定値Ｆ１を発光状態補正部１１１に出力する。
【００８４】
そして、発光状態補正部１１１が、Ｓ３６で取得されたＢＬ測定値Ｆ１を第２目標値として記憶する（Ｓ３７）。
【００８５】
なお、第２目標値を決定するタイミングは上記タイミングに限らない。例えば、Ｓ３６とＳ３７の処理は、Ｓ３４とＳ３５の処理と並列に行われてもよい。Ｓ３６とＳ３７の処理は、Ｓ３４の処理の前、または、Ｓ３５の処理の前に行われてもよい。また、第２目標値は、基準状態値を決定する処理とは異なる処理によって決定されてもよい。第２目標値を決定するときに使用される画像データは、白色画像データでなくてもよい。例えば、第２目標値を決定するときに使用される画像データは、グレー色画像データであってもよい。
【００８６】
（画像表示装置の動作２）
次に、発光部１０５の発光状態を補正する処理、及び、補正測定値を第１目標値と比較する処理、について、図１０のフローチャートを用いて説明する。図１０のフローチャートは、画像表示装置の階調特性（ガンマ特性）の変化を検出する場合の例を示す。階調特性は、例えば、画素値と画面光の値との対応関係を表す。
図１０のフローチャートは、基準状態値と第２目標値を決定した後に常時実行されてもよいし、ユーザが指定した期間にのみ実行されてもよい。画像表示装置のキャリブレーションが行われてから所定時間経過した後に常時実行されてもよい。
【００８７】
まず、画像入力部１０１が、入力画像データを取得する（Ｓ４１）。Ｓ４１で取得される入力画像データは特に限定されない。Ｓ４１で取得される入力画像データは、静止画像の画像データであってもよいし、動画像の画像データであってもよい。入力画像データが動画像の画像データである場合には、フレーム毎に処理が行われる。画像入力部１０１は、入力画像データを、画像処理部１０２と発光制御部１０４に出力する。
【００８８】
次に、画像処理部１０２が、入力画像データに画像処理を施すことにより、表示用画像データを生成する（Ｓ４２）。画像処理部１０２は、生成した表示用画像データを表示部１０３に出力する。それにより、表示部１０３の透過率が、入力画像データに基づく透過率に制御される。
【００８９】
そして、発光制御部１０４が、発光部１０５が有する複数の光源のそれぞれについて、発光制御値を決定する（Ｓ４３）。ここでは、番号ｎの光源の発光制御値を“発光制御値ＢＢｎ”と記載する。発光制御部１０４は、決定した発光制御値ＢＢ１〜ＢＢＮを発光部１０５に出力する。それにより、各光源が発光制御値に応じて発光する。そして、発光部１０５から発せられた光が表示部１０３を透過することにより、入力画像が画面に表示さ
れる。また、発光制御部１０４は、決定した発光制御値ＢＢ１〜ＢＢＮを発光状態補正部１１１にも出力する。
【００９０】
次に、測定部１１０が、発光部１０５から発せられた光の瞬時値を測定することによって、ＢＬ測定値Ｆ２を取得する（Ｓ４４）。測定部１１０は、ＢＬ測定値Ｆ２を発光状態補正部１１１に出力する。発光部１０５の劣化状態、発光部１０５の周囲の環境、等がＢＬ測定値Ｆ１の取得時と同じ場合には、ＢＬ測定値Ｆ２としてＢＬ測定値Ｆ１と同じ値が取得される。発光部１０５の劣化状態、発光部１０５の周囲の環境、等がＢＬ測定値Ｆ１の取得時と異なる場合には、ＢＬ測定値Ｆ２としてＢＬ測定値Ｆ１と異なる値が取得される。
【００９１】
そして、発光状態補正部１１１が、過去のＢＬ測定値Ｆ１（第２目標値）と、現在のＢＬ測定値Ｆ２と、の差に基づいて、発光部１０５の発光状態を補正する（Ｓ４５）。
Ｓ４５の処理について詳しく説明する。
まず、発光状態補正部１１１は、以下の式６を用いて補正係数Ｃを算出する。即ち、ＢＬ測定値Ｆ１をＢＬ測定値Ｆ２で除算することにより、補正係数Ｃが算出される。
補正係数Ｃ＝ＢＬ測定値Ｆ１÷ＢＬ測定値Ｆ２  ・・・（式６）
次に、発光状態補正部１１１は、Ｓ４３で決定された各光源の発光制御値ＢＢｎに補正係数Ｃを乗算することにより、各光源の発光制御値ＢＢｎを補正する。
そして、発光状態補正部１１１は、各光源の補正後の発光制御値を発光部１０５に出力する。それにより、発光部１０５の発光状態が補正される。具体的には、各光源の発光状態が、Ｓ４３で決定された発光制御値に応じた発光状態から、補正後の発光制御値に応じて発光状態に補正される。
【００９２】
例えば、発光部１０５から発せられる光の現在の瞬時値が、ＢＬ測定値Ｆ１の決定時よりも低い場合には、ＢＬ測定値Ｆ２としてＢＬ測定値Ｆ１よりも小さい値が得られる。そのため、補正係数Ｃとして１よりも大きい値が算出される。補正係数が１より大きい場合には、Ｓ４３で決定された発光制御値に補正係数Ｃを乗算することにより、発光期間の長さが増加され、発光部１０５の発光輝度が高められる。その結果、発光部１０５から発せられる光の瞬時値の低下を抑制することができる。
【００９３】
なお、ＢＬ測定値Ｆ１とＢＬ測定値Ｆ２の差は、ＢＬ測定値Ｆ１とＢＬ測定値Ｆ２の比に限らない。ＢＬ測定値Ｆ１とＢＬ測定値Ｆ２の差は、ＢＬ測定値Ｆ１とＢＬ測定値Ｆ２の一方から他方を減算した値であってもよい。
【００９４】
次に、画像処理部１０２が、測定用画像の番号を示す変数ｉに“１”を設定する（Ｓ４６）。
【００９５】
そして、画像処理部１０２が、番号ｉの測定用画像データを入力画像データに合成することにより、合成画像データを生成する（Ｓ４７）。合成画像データを生成した後には、合成画像データに画像処理を施すことによって表示用画像データが生成され、生成された表示用画像データが表示部１０３に出力される。それにより、表示部１０３の透過率が入力画像データに基づく透過率から合成画像データに基づく透過率に変更され、表示画像が入力画像から合成画像に変更される。
本実施例では、図１１に示すように、複数の測定用画像データ（複数の測定用画像のそれぞれの画素値）が設定されている。図１１の例では、番号１〜５が対応付けられた５つの測定用画像が設定されている。以後、番号ｉの測定用画像を“測定用画像ｉ”と記載する。図１１において、測定用画像１の画素値（Ｒ値，Ｇ値，Ｂ値）は（０，０，０）であ
り、測定用画像２の画素値は（６４，６４，６４）であり、測定用画像３の画素値は（１２８，１２８，１２８）である。測定用画像４の画素値は（１９２，１９２，１９２）であり、測定用画像５の画素値は（２５５，２５５，２５５）である。変数ｉ＝１の場合には測定用画像１が表示され、変数ｉ＝２の場合には測定用画像２が表示され、変数ｉ＝３の場合には測定用画像３が表示される。変数ｉ＝４の場合には測定用画像４が表示され、変数ｉ＝５の場合には測定用画像５が表示される。測定用画像１は黒色画像、測定用画像２〜４はグレー画像、測定用画像５は白色画像である。
図１２は、合成画像の一例を示す。図１２の合成画像では、測定値取得部１０６で使用される光センサが設けられた領域である測定領域に、測定用画像ｉが配置されている。
なお、測定用画像の数は５個より多くても少なくてもよい。
【００９６】
次に、測定値取得部１０６が、Ｓ４７において測定領域に表示された測定用画像の測定値（画面測定値）を取得する（Ｓ４８）。ここでは、画面測定値（Ｘ値，Ｙ値，Ｚ値）として、（Ｘ３，Ｙ３，Ｚ３）が取得されたとする。測定値取得部１０６は、取得した画面測定値（Ｘ３，Ｙ３，Ｚ３）を測定値補正部１０８に出力する。
【００９７】
そして、発光状態判断部１０７が、Ｓ４３で決定された発光制御値ＢＢｎと、拡散プロファイルと、を用いて、発光状態値を算出する（Ｓ４９）。Ｓ４９では、発光状態判断部１０７は、以下の式７を用いて発光状態値Ｄ４を算出する。
Ｄ４＝ＢＢ１×Ｐ１＋ＢＢ２×Ｐ２＋・・・＋ＢＢＮ×ＰＮ  ・・・（式７）
発光状態判断部１０７は、算出した発光状態値Ｄ４を測定値補正部１０８に出力する。
【００９８】
次に、測定値補正部１０８が、基準状態値Ｄ３と、Ｓ４９で取得された発光状態値Ｄ４と、に基づいて、Ｓ４８で取得された画面測定値（Ｘ３，Ｙ３，Ｚ３）を補正することにより、補正測定値（Ｘ４，Ｙ４，Ｚ４）を取得する（Ｓ５０）。Ｓ５０では、補正測定値のＸ値であるＸ４が以下の式８−１を用いて算出され、補正測定値のＹ値であるＹ４が以下の式８−２を用いて算出され、補正測定値のＺ値であるＺ４が以下の式８−３を用いて算出される。
Ｘ４＝Ｘ３×Ｄ３÷Ｄ４  ・・・（式８−１）
Ｙ４＝Ｙ３×Ｄ３÷Ｄ４  ・・・（式８−２）
Ｚ４＝Ｚ３×Ｄ３÷Ｄ４  ・・・（式８−３）
【００９９】
そして、画像処理部１０２が、変数ｉが５であるか否かを判断する（Ｓ５１）。
変数ｉが５未満である場合には、画像処理部１０２は、測定されていない測定用画像が存在すると判断する。そして、Ｓ５２へ処理が進められる。Ｓ５２では、画像処理部１０２が、変数ｉを１だけインクリメントする。そして、Ｓ４７へ処理が戻される。変数ｉが５になるまで、Ｓ４７〜Ｓ５２の処理が繰り返される。
変数ｉが５である場合には、画像処理部１０２は、全ての測定用画像について測定が行われたと判断する。そして、Ｓ５３へ処理が進められる。
【０１００】
Ｓ５３では、比較部１０９が、測定用画像毎に、Ｓ５０で算出された補正測定値（Ｘ４，Ｙ４，Ｚ４）と第１目標値との差が閾値ＴＨ２以上であるか否かを判断する。本実施例では、複数の測定用画像にそれぞれ対応する複数の第１目標値が設定されている。閾値ＴＨ２は、複数の測定用画像の間で共通の値であってもよいし、そうでなくてもよい。複数の測定用画像にそれぞれ対応する複数の閾値ＴＨ２が設定されていてもよい。
【０１０１】
なお、第１目標値は、メーカによって予め定められた固定値であってもよいし、ユーザが変更可能な値であってもよい。第１目標値は、実施例１と同様の方法で決定することができる。第１目標値は、目標の階調特性と測定用画像の画素値とに基づいて決定することもできる。具体的には、目標の階調特性を満たす画面光の値のうち、測定用画像ｉの画素値に対応する画面光の値を、測定用画像ｉに対応する第１目標値として決定することができる。
なお、閾値ＴＨ２は、メーカによって予め定められた固定値であってもよいし、ユーザが変更可能な値であってもよい。閾値ＴＨ２は、実施例１の閾値ＴＨ１と同様の方法で決定することができる。
【０１０２】
以後、測定用画像ｉの補正測定値のＹ値を“Ｙ４＿ｉ”と記載し、Ｙ４＿ｉの目標値である第１目標値を“Ｙｔ＿ｉ”と記載する。
本実施例では、比較部１０９は、番号ｉの測定用画像について、Ｙ値Ｙ４＿ｉと第１目標値Ｙｔ＿ｉとを比較する。具体的には、比較部１０９は、以下の式９を用いて輝度差Ｋｉを算出する。輝度差Ｋｉは、測定用画像ｉに対して算出された輝度差Ｋである。
Ｋｉ＝｜Ｙ４＿ｉ−Ｙｔ＿ｉ｜  ・・・（式９）
そして、比較部１０９は、測定用画像ｉについて、輝度差Ｋｉが閾値ＴＨ２以上であるか否かを判断する。
比較部１０９は、輝度差Ｋの算出、及び、輝度差Ｋと閾値ＴＨ２との比較を、全ての測定用画像について行う。
輝度差Ｋが閾値ＴＨ２以上である測定用画像が存在する場合には、Ｓ５４へ処理が進められる。全ての測定用画像について輝度差Ｋが閾値ＴＨ２未満である場合には、本フローが終了される。
【０１０３】
Ｓ５４では、比較部１０９が、画面光の測定値が目標値と異なる旨のメッセージが記載されたＯＳＤ画像を表す通知画像データを生成し、通知画像データを表示部１０３に出力する。それにより、画面にＯＳＤ画像が表示され、画面光の測定値が目標値と異なることをユーザに通知することができる。
【０１０４】
なお、発光部１０５の発光状態を補正するタイミングは上記タイミングに限らない。Ｓ４４とＳ４５の処理は、Ｓ４８の処理よりも前に行われればよい。Ｓ４４とＳ４５の処理は、Ｓ４６とＳ４７の処理と並列に行われてもよい。
【０１０５】
以上述べたように、本実施例によれば、入力画像データの変化による光源の発光輝度の変化（例えば、ローカルディミング制御による光源の発光輝度の変化）は制限されない。そして、本実施例によれば、発光部の発光状態が基準状態から変化したことによる画面測定値の変化が低減するように、測定値取得部で取得された画面測定値が補正される。それにより、ローカルディミング制御の実行中であっても、表示画像の見た目の変化を招くことなく、入力画像データに応じた発光部の発光状態の変化に依存しない光センサの測定値を推定することができる。
また、本実施例によれば、補正後の画面測定値と第１目標値との差が閾値以上である場合に、補正後の画面測定値が第１目標値と異なることがユーザに通知される。それにより、ユーザは、キャリブレーションを実行するか否かの判断を高精度に行うことが可能となる。
また、本実施例によれば、測定部の現在のＢＬ測定値と第２目標値との差に基づいて、発光部の発光状態が補正される。発光部の劣化状態と発光部の周囲の環境との少なくとも一方による発光部の発光状態の変化が低減された表示画像を得ることが可能となる。
【０１０６】
＜その他の実施例＞
記憶装置に記録されたプログラムを読み込み実行することで前述した実施例の機能を実現するシステムや装置のコンピュータ（又はＣＰＵ、ＭＰＵ等のデバイス）によっても、本発明を実施することができる。また、例えば、記憶装置に記録されたプログラムを読み込み実行することで前述した実施例の機能を実現するシステムや装置のコンピュータによって実行されるステップからなる方法によっても、本発明を実施することができる。この目的のために、上記プログラムは、例えば、ネットワークを通じて、又は、上記記憶装置となり得る様々なタイプの記録媒体（つまり、非一時的にデータを保持するコンピュータ読取可能な記録媒体）から、上記コンピュータに提供される。したがって、上記コンピュータ（ＣＰＵ、ＭＰＵ等のデバイスを含む）、上記方法、上記プログラム（プログラムコード、プログラムプロダクトを含む）、上記プログラムを非一時的に保持するコンピュータ読取可能な記録媒体は、いずれも本発明の範疇に含まれる。
【符号の説明】
【０１０７】
１００：画像表示装置  １０３：表示部  １０４：発光制御部  １０５：発光部
１０６：測定値取得部  １０８：測定値補正部
【図１】
2015232689.tif 000003
【図２】
2015232689.tif 000004
【図３】
2015232689.tif 000005
【図４】
2015232689.tif 000006
【図５】
2015232689.tif 000007
【図６】
2015232689.tif 000008
【図７】
2015232689.tif 000009
【図８】
2015232689.tif 000010
【図９】
2015232689.tif 000011
【図１０】
2015232689.tif 000012
【図１１】
2015232689.tif 000013
【図１２】
2015232689.tif 000014